(57)【要約】【課題】室内空調ユニットの開口部が半開モードである場合にも適切な空調風の風量配分の調整を行う。【解決手段】空調風が吹き出される開口部２６と車室内に設けられた２つの吹出口のそれぞれと接続する第１の空気通路４１と第２の空気通路４２が形成された送風ダクト４０と、空調ケース１１内に設けられ、開口部２６を全開モードと半開モードに切り替えを行うモード切替部とを備え、第２の空気通路４２は、第１の空気通路４１より開口部２６から吹出口までの長さが長く、開口部２６における第１の空気通路４１に対応する第１の開口部４４の開口面積が、開口部２６における第２の空気通路４２に対応する第２の開口部４５の開口面積よりも小さい車両用空調装置において、全開モードよりも半開モードの方が、第２の開口部４５の開口面積に対する、第１の開口部４４の開口面積の割合が大きくなるように構成する。【選択図】図５
2008168774.tif 000002
【特許請求の範囲】
【請求項１】
空調風が吹き出される開口部（２６）が形成された空調ケース（１１）と、
前記開口部と車室内の計器盤（２）に設けられた２つの吹出口のそれぞれと接続する２つの空気通路（４１、４２）が形成された送風ダクト（４０）と、
前記空調ケース（１１）内に設けられ、前記開口部（２６）を少なくとも全開状態にする全開モードと半開状態にする半開モードに切り替えを行うモード切替部とを備え、
前記２つの空気通路（４１、４２）は、第１の空気通路（４１）と前記第１の空気通路（４１）より前記開口部（２６）から前記吹出口までの長さが長い第２の空気通路（４２）からなり、
前記開口部（２６）における前記第１の空気通路（４１）に対応する第１の開口部（４４）の開口面積が、前記開口部（２６）における前記第２の空気通路（４２）に対応する第２の開口部（４５）の開口面積よりも小さい車両用空調装置において、
前記全開モードよりも前記半開モードの方が、前記第２の開口部（４５）の開口面積に対する、前記第１の開口部（４４）の開口面積の割合が大きくなるように構成されていることを特徴とする車両用空調装置。
【請求項２】
前記モード切替部は、前記開口部（２６）に沿ってスライドさせることで開閉する開閉ドア（３１）を有しており、
前記第１の空気通路（４１）と前記第２の空気通路（４２）との境界は、前記全開モードよりも前記半開モードの方が、前記第２の開口部（４５）の開口面積に対する、前記第１の開口部（４４）の開口面積の割合が大きくなるように、前記開閉ドア（３１）の開閉方向に対して傾斜していることを特徴とする請求項１に記載の車両用空調装置。
【請求項３】
前記開閉ドア（３１）における開閉方向の閉鎖側に位置する辺は、前記開閉ドア（３１）が閉鎖方向に移動するにしたがって、前記第１の開口部（４４）に対応する部位の長さが長くなるように構成されていることを特徴とする請求項２に記載の車両用空調装置。
【発明の詳細な説明】
【技術分野】
【０００１】
本発明は、車室内を空調制御する車両用空調装置に関する。
【背景技術】
【０００２】
一般に、車両計器盤における車両左右方向の中央部付近に左右一対のセンタフェイス吹出口と車両計器盤における車両左右方向の両端部に左右一対のサイドフェイス吹出口が配置され、各吹出口から空調風を乗員の上半身に向け吹き出している。空調風を車室内に供給する室内空調ユニットの開口部とセンタフェイス吹出口およびサイドフェイス吹出口は、左右に分岐された送風ダクトにより接続され、室内空調ユニットの開口部からの空調風は、左右の送風ダクトを介して車室内に向かって各吹出口から吹き出される。
【０００３】
しかし、車両左右方向の中央部付近に配置されるオーディオ機器等との配置関係により、室内空調ユニットの開口部が車両左右方向の中央部でない位置に配置され、室内空調ユニットの開口部と各吹出口までの左右の送風ダクトの長さが異なる場合がある。この場合、送風ダクト内で生ずる空調風の圧損等により、左右の送風ダクトのうち、室内空調ユニットの開口部から各吹出口までの長さが長い方の開口部から吹き出される空調風の風量が少なくなり、左右の各吹出口から吹き出される空調風の風量配分を適切に調整することができない問題があった。
【０００４】
そのため、左右の送風ダクトのうち、室内空調ユニットの開口部から各吹出口までの長さが短い方の開口部の開口面積を、長さが長い方の開口部の開口面積よりも小さくなるように開口部の開口面積を調整することで、左右の各吹出口から吹き出される空調風の風量配分の調整を図っている。
【発明の開示】
【発明が解決しようとする課題】
【０００５】
しかしながら、上述空調風の風量配分の調整は、室内空調ユニットの開口部が全開状態の吹出モードにおいて調整されている。そのため、開口部の一部が半開状態の吹出モードである場合、左右の送風ダクトのうち室内空調ユニットの開口部から吹出口までの長さが短い方の開口部の開口面積が小さくなりすぎ、対応する吹出口から流れる空調風の配分が極端に少なくなる問題が生じている。
【０００６】
本発明は、上記点に鑑み、左右の送風ダクトの室内空調ユニットの開口部から吹出口までの長さが異なり、送風ダクトの開口部の開口面積が異なる車両用空調装置において、室内空調ユニットの開口部が半開状態の吹出モードである場合であっても適切な空調風の風量配分の調整を行うことを目的とする。
【課題を解決するための手段】
【０００７】
上記目的を達成するため、本発明は、空調風が吹き出される開口部（２６）が形成された空調ケース（１１）と、開口部と車室内の計器盤（２）に設けられた２つの吹出口のそれぞれと接続する２つの空気通路（４１、４２）が形成された送風ダクト（４０）と、空調ケース（１１）内に設けられ、開口部（２６）を少なくとも全開状態にする全開モードと半開状態にする半開モードに切り替えを行うモード切替部とを備え、２つの空気通路（４１、４２）は、第１の空気通路（４１）と第１の空気通路（４１）より開口部（２６）から吹出口までの長さが長い第２の空気通路（４２）からなり、開口部（２６）における第１の空気通路（４１）に対応する第１の開口部（４４）の開口面積が、開口部（２６）における第２の空気通路（４２）に対応する第２の開口部（４５）の開口面積よりも小さい車両用空調装置において、全開モードよりも半開モードの方が、第２の開口部（４５）の開口面積に対する、第１の開口部（４４）の開口面積の割合が大きくなるように構成されていることを特徴としている。
【０００８】
これにより、本発明では、室内空調ユニット（１）の空調ケース（１１）の開口部（２６）の状態が、全開モードよりも半開モードの方が、第２の開口部（４５）の開口面積に対する、第１の開口部（４４）の開口面積の割合が大きくなるように構成しているため、半開モードである場合であっても、第１の開口部（４４）の開口面積を確保することができ、吹出口から吹き出す空調風の風量配分の調整を適切に行うことができる。
【０００９】
また、モード切替部は、開口部（２６）に沿ってスライドさせることで開閉する開閉ドア（３１）を有しており、第１の空気通路（４１）と第２の空気通路（４２）との境界は、全開モードよりも半開モードの方が、第２の開口部（４５）の開口面積に対する、第１の開口部（４４）の開口面積の割合が大きくなるように、開閉ドア（３１）の開閉方向に対して傾斜している場合、第１の空気通路（４１）と第２の空気通路（４２）との境界を傾斜させる簡易な構成で、半開モードでの吹出口から吹き出す空調風の風量配分の調整を適切に行うことができる。
【００１０】
また、開閉ドア（３１）における開閉方向の閉鎖側に位置する辺は、開閉ドア（３１）が閉鎖方向に移動するにしたがって、第１の開口部（４４）に対応する部位の長さが長くなるように構成されている場合、簡易な構成で半開モードでの吹出口から吹き出す空調風の風量配分の調整を適切に行うことができる。
【００１１】
なお、特許請求の範囲およびこの欄で記載した各手段の括弧内の符号は、後述する実施形態に記載の具体的手段との対応関係を示す一例である。
【発明を実施するための最良の形態】
【００１２】
本実施形態は、本発明に係る車両用空調装置の構成を車両に適用したものである。図１は、車両の計器盤２の斜視図を示している。図１で示すように、車両前方の車両左右方向全域に計器盤２（インストルメントパネル）が配置され、計器盤２の内部には車両用空調装置の室内空調ユニット１が配置されている。計器盤２には、空調風を車室内前席側に向けて吹き出すフェイス吹出口３〜６が設けられている。
【００１３】
フェイス吹出口３〜６は、前席に面しており車両左右方向の中央部に設けられている助手席側センタ吹出口３と運転席側センタ吹出口５および車両左右方向の両端部付近に設けられている助手席側サイド吹出口４と運転席側サイド吹出口６から構成されている。
【００１４】
計器盤２の最前部には横長に開口されたデフロスタ吹出口７が設けられている。また、図示しないが、計器盤２の下方には前席の足下に面してフット吹出口が設けられている。
【００１５】
次に、図２は、第１実施形態による車両用空調装置の室内空調ユニット１のうち、空調ユニット部１０の概略断面図であり、空調ユニット部１０は車室内前部の計器盤２内側において車両左右方向の中央部の助手席側（左側）に配置されている。
【００１６】
なお、室内空調ユニット１のうち、空調ユニット部１０に空気を送風する送風機ユニット部（図示せず）は、計器盤２内側において空調ユニット部１０から助手席側にオフセット配置されている。この送風機ユニット部は周知の構成でよく、内気（車室内空気）と外気（車室外空気）とを切替導入する内外気切替部と、この内外気切替部から導入した空気を空調ユニット部１０へ向けて送風する送風機とを有している。この送風機には遠心式の送風ファンが備えられている。
【００１７】
空調ユニット部１０は樹脂製の空調ケース１１を有し、この空調ケース１１は縦長の形状であり、その内部に下方側から上方側へと送風空気が流れる空気通路を構成する。空調ケース１１内部において最下部に、上記送風機ユニットの送風空気が流入する空気入口空間１２が形成されている。
【００１８】
この空気入口空間１２の上方側に熱交換器部１３が配置されている。この熱交換器部１３は、冷房用熱交換器をなす蒸発器１４と暖房用熱交換器をなすヒータコア１５とを備えており、蒸発器１４は空気入口空間１２の直ぐ上方に配置され、ヒータコア１５は蒸発器１４の更に上方に配置されている。
【００１９】
蒸発器１４は図２に示すように空調ケース１１の底面部より所定高さだけ上方部位に略水平に配置されている。空気入口空間１２内に流入した空気は蒸発器１４を矢印Ａのように下方から上方へ通過するようになっている。空調ケース１１のうち、蒸発器１４の下方に位置する底面部は凝縮水受け部を構成し、その車両前方側の最底部に凝縮水排出口１６が開口している。
【００２０】
また、蒸発器１４は、周知のように空調用冷凍サイクルの減圧手段（図示せず）にて減圧された低圧冷媒が導入され、この低圧冷媒が送風空気から吸熱して蒸発することにより送風空気を冷却するようになっている。
【００２１】
そして、空調ケース１１内において、蒸発器１４の空気流れ下流側、すなわち、蒸発器１４の上方側で、かつ、車両後方寄りの部位にヒータコア１５が配置されている。このヒータコア１５は、車両エンジン（図示せず）からの温水（冷却水）を熱源として空気を加熱する温水式暖房用熱交換器である。
【００２２】
ヒータコア１５を蒸発器１４の上方側で、かつ、車両後方寄りの部位に配置しているため、ヒータコア１５よりも車両前方側の部位に、ヒータコア１５をバイパスして冷風を矢印Ｂのように流す冷風バイパス通路１７が形成されている。
【００２３】
また、ヒータコア１５の上端部近傍で、車両前方側の部位にエアミックスドア１８の回転軸１９が配置されている。回転軸１９には板状のエアミックスドア１８の上端部が一体に連結され、エアミックスドア１８は回転軸１９を中心として図１の実線位置と１点鎖線位置との間で回転可能になっている。
【００２４】
ここで、エアミックスドア１８の実線位置はヒータコア１５の通風路を全閉する最大冷房位置であって、１点鎖線位置は冷風バイパス通路１７を全閉する最大暖房位置である。エアミックスドア１８がヒータコア１５の通風路を開けると、蒸発器１４通過後の空気は矢印Ｃのようにヒータコア１５を通過してヒータコア１５の上方へ流れる。
【００２５】
エアミックスドア１８は周知のごとくヒータコア１５を通過する温風（矢印Ｃ）とヒータコア１５をバイパスして冷風バイパス通路１７を通過する冷風（矢印Ｂ）との風量割合を調整して車室内への吹出空気温度を調整する温度調整手段である。
【００２６】
空調ケース１１内においてヒータコア１５の上方側に空気混合部２０が形成されている。そして、空調ケース１１内においてヒータコア１５の下端部近傍から上方側へ向かって温風ガイド壁２１が湾曲状に延びるように形成されている。この温風ガイド壁２１によってヒータコア１５の車両後方側部位に温風通路２２が形成され、この温風通路２２を通して温風を矢印Ｃのように空気混合部２０へ向かってガイドする。
【００２７】
また、冷風バイパス通路１７の冷風を矢印Ｂのように空気混合部２０へガイドする湾曲状の冷風ガイド壁２３が空調ケース１１の車両前方側の面に形成されている。空気混合部２０では上記温風と上記冷風が混合され、この冷温風の混合により所望温度の空気が得られる。
【００２８】
この空気混合部２０の上方側（空気流れ下流側）、すなわち、空調ケース１１の上面部に吹出モード切替部２４が配置されている。この吹出モード切替部２４は、半円筒状の開口シール面２５をその円周面が車両前後方向に延びるようにして空調ケース１１の上面部に形成している。
【００２９】
この開口シール面２５のうち、車両後方側の部位にフェイス開口部２６を配置し、このフェイス開口部２６よりも車両前方側の部位にデフロスタ開口部２７を配置している。なお、フット開口部２８は後述するように開口シール面２５下方の空調ケース１１内部空間に配置してある。
【００３０】
フェイス開口部２６はフェイスダクト４０を介して乗員の顔部に向けて空気を吹出すものである。フェイス開口部２６付近の構成については、後で詳述する。デフロスタ開口部２７は図示しないデフロスタダクトを介して車両前面窓ガラスの内面に向けて空気を吹出すものである。
【００３１】
半円筒状の開口シール面２５の内側には、吹出モード切替用ロータリドア３１が回転軸３２により車両前後方向に回転可能に配置されている。このロータリドア３１には、回転軸３２を中心とする所定の曲率半径の円周壁面３３が設けられ、この円周壁面３３の軸方向（車両幅方向）の両端部を側面板部３４により回転軸３２に連結する構造になっている。このロータリドア３１が、本発明における開閉ドアに相当している。
【００３２】
また、空調ケース１１の上面部の半円筒状の開口シール面２５の内側には、ロータリドア３１の回転を可能とする半円筒状のドア回転作動空間３７が形成されている。この回転作動空間は空調ケース１１内上部において、冷風ガイド壁２３の上方部（車両前方部）からフェイス開口部２６よりも車両後方側の下方に至る範囲にわたって形成されている。
【００３３】
一方、空調ケース１１内の空間において、温風ガイド壁２１の上端部に仕切り壁３８を接続して、仕切り壁３８の上部付近にフット開口部２８を開口している。また、温風ガイド壁２１よりも車両後方側の部位に仕切り壁３８によりフット吹出通路２９を区画形成している。仕切り壁３８は上方へ山状に突き出す形状になっており、この山状の突出形状によりドア回転作動空間３７を仕切り壁３８の車両後方側部位に至るまで形成している。
【００３４】
フット開口部２８はフット吹出通路２９を介してフットダクト３０に連通し、このフットダクト３０は空調ケース１１の車両幅方向の左右両側に図示しないフット吹出口に接続しており、ここから乗員の足元部に向けて空気を吹出すようになっている。
【００３５】
また、フット開口部２８は、ロータリドア３１の回転方向においてロータリドア３１の第１板ドア部３５および第２板ドア部３６に対向するように配置され、これにより、第１、第２板ドア部３５、３６の回転変位によりフット開口部２８を開閉するようになっている。
【００３６】
なお、本実施形態では、ロータリドア３１の操作位置を選択することにより、図３（ａ）に示すフェイスモード、図３（ｂ）に示すバイレベルモード、図４（ａ）に示すフットモード、図４（ｂ）に示すフットデフロスタモード、図４（ｃ）に示すデフロスタモードに吹出モードを設定できる。
【００３７】
図３（ａ）に示すように、フェイスモードでは、ロータリドア３１を図３（ａ）の位置に操作して、フェイス開口部２６を全開し、デフロスタ開口部２７を全閉し、フット開口部２８を閉口する。これにより、フェイス開口部２６を通過する空調風を、フェイスダクト４０を介してフェイス吹出口３〜６から車室内乗員の上半身側へ吹き出すことができる。
【００３８】
図３（ｂ）に示すように、バイレベルモードでは、ロータリドア３１を図３（ｂ）の位置に操作して、フェイス開口部２６を半開し、デフロスタ開口部２７を全閉し、フット開口部２８を開口する。これにより、フェイス開口部２６を通過する空調風を、フェイスダクト４０を介して図１に示すフェイス吹出口３〜６から車室内乗員の上半身側へ吹き出すと同時に、フット開口部２８を通過する空調風を、フット吹出通路２９、フットダクト３０を介して図示しないフット吹出口から車室内乗員の足元部へ吹き出すことができる。
【００３９】
図４（ａ）に示すように、フットモードでは、ロータリドア３１を図４（ａ）の位置に操作して、フェイス開口部２６およびデフロスタ開口部２７を全閉し、フット開口部２８を開口する。これにより、フット開口部２８を通過する空調風を、フット吹出通路２９、フットダクト３０を介して図示しないフット吹出口から車室内乗員の足元部へ吹き出すことができる。
【００４０】
図４（ｂ）に示すように、フットデフロスタモードでは、ロータリドア３１を図４（ｂ）の位置に操作して、フェイス開口部２６を全閉し、デフロスタ開口部２７を半開し、フット開口部２８を開口する。これにより、フット開口部２８を通過する空調風を、フット吹出通路２９、フットダクト３０を介して図示しないフット吹出口から車室内乗員の足元部へ吹き出すと同時に、デフロスタ開口部２７を通過する空調風を、図示しないデフロスタ吹出ダクトを介して図１に示すデフロスタ吹出口７から、車両前面窓ガラス側へ向けて吹き出すことができる。
【００４１】
図４（ｃ）に示すように、デフロスタモードでは、ロータリドア３１を図４（ｃ）の位置に操作して、フェイス開口部２６を全閉し、デフロスタ開口部２７を全開し、フット開口部２８を閉口する。これにより、デフロスタ開口部２７を通過する空調風を、図示しないデフロスタ吹出ダクトを介して図１に示すデフロスタ吹出口７から、車両前面窓ガラス側へ向けて吹き出すことができる。
【００４２】
吹出モードの操作は、サーボモータを用いたオート操作機構で構成されるが、乗員の手動操作力により直接操作されるマニュアル操作にしてもよい。
【００４３】
次に、本実施形態で用いる空調ケース１１におけるフェイス開口部２６付近の構成について図５に基づいて詳述する。なお、フェイスダクト４０は、図５に示す車両の前後左右方向に対して矢印のように構成される。
【００４４】
図５（ａ）は、図３（ａ）のＸ−Ｘの線に沿った断面図であり、吹出モードがフェイス開口部２６を全開するフェイスモードに設定された場合のフェイスダクト４０断面を示している。図５（ｂ）は、図３（ｂ）のＹ−Ｙの線に沿った断面図を示しており、吹出モードがフェイス開口部２６とフット開口部２８の両方を略半開するバイレベルモードに設定された場合のフェイスダクト４０断面を示している。なお、説明の便宜のため、図５（ａ）、図５（ｂ）のフェイスダクト４０断面については、フェイス開口部２６等を透視した状態を示している。
【００４５】
図５（ａ）、図５（ｂ）に示すように、本実施形態のフェイス開口部２６は、車両左右方向に延びるように長方形の開口部を形成している。フェイス開口部２６は、空調ユニット部１０内のロータリドア３１により開閉され、ロータリドア３１の円周壁面３３が、車両前後方向の前方向にスライド移動することでフェイス開口部２６が全開となり（図５（ａ）の状態）、後方向にスライド移動することでフェイス開口部２６が半開となる（図５（ｂ）の状態）。
【００４６】
フェイス開口部２６には、フェイスダクト４０が接続されている。フェイスダクト４０は、空調風流れの下流側で助手席側ダクト４１と運転席側ダクト４２に分岐している。
【００４７】
また、フェイスダクト４０には、フェイス開口部２６を助手席側開口部４４と運転席側開口部４５とに分岐させ、フェイスダクト４０を運転席側ダクト４２と助手席側ダクト４１に分岐させる仕切り板４３が設けられている。この助手席側開口部４４が、本発明における第１の開口部に相当しており、運転席側開口部４５が第２の開口部に相当している。また、この仕切り板４３が、本発明における第１の開口部と第２の開口部の境界に相当している。
【００４８】
助手席側ダクト４１は、空調風流れの上流側で助手席側センタ吹出口３に接続されており、空調風流れの下流側で助手席側サイド吹出口４に接続されている。
【００４９】
また、運転席側ダクト４２は、空調風流れの上流側で運転席側センタ吹出口５に接続されており、空調風流れの下流側で運転席側サイド吹出口６に接続されている。
【００５０】
本実施形態では、室内空調ユニット１が車両左右方向の中央部の助手席側（左側）に配置され、フェイス開口部２６の開口位置も車両左右方向の中央部の助手席側（左側）に片寄って設けられている。そのため、助手席側ダクト４１の助手席側開口部４４から対応する各吹出口３、４までの長さは、運転席側ダクト４２の運転席側開口部４５から対応する各吹出口５、６までの長さよりも短いものが用いられている。
【００５１】
このような車両用空調装置では、フェイスダクト４０内の仕切り板４３を助手席側開口部４４の開口面積が、運転席側開口部４５の開口面積よりも小さくなるように構成することで、空調風の風量配分の調整を行っている。
【００５２】
仕切り板４３の具体的な構成は、仕切り板４３の一端部が、ロータリドア３１が開く側（車両前後方向の前方側）のフェイスダクト４０の内壁面であって、助手席寄り（図５における左側寄り）の内壁面に接続されている。また、仕切り板４３の他端部が、ロータリドア３１が閉じる側（車両前後方向の後方側）のフェイスダクト４０の内壁面であって、運転席寄り（図５における右側寄り）の内壁面に接続されている。そのため、仕切り部材３１は、ロータリドア３１の開閉方向（車両前後方向）に対して連続的に傾斜している。また、ロータリドア３１における開閉方向に位置する辺（車両前後方向の後方側の辺）は、ロータリドア３１が、フェイス開口部２６を開口状態から閉口状態にするにしたがって、助手席側開口部４４に対応する部位の長さが長くなる。
【００５３】
上記仕切り板４３の構成により、吹出モードがフェイス開口部２６を全開するフェイスモード（図３（ａ）、図５（ａ）の状態）で設定されている場合よりも、フェイス開口部２６とフット開口部２８の両方を略半開するバイレベルモード（図３（ｂ）、図５（ｂ）の状態）で設定されている場合のほうが、運転席側開口部４５の開口面積に対する助手席側開口部４４の開口面積の割合を大きくさせることができる。
【００５４】
本実施形態に係る車両空調装置の主要な動作を説明する。
【００５５】
車両用空調装置の始動スイッチ（Ａ／Ｃスイッチ）がオンされると、車両用空調装置が稼働する。
【００５６】
室内空調ユニット１で生成される空調風が、フェイス開口部２６から計器盤２内部のフェイスダクト４０に導かれ、フェイスダクト４０内に設けられた仕切り板４３により、助手席側開口部４４を介して助手席側ダクト４１および運転席側開口部４５を介して運転席側ダクト４２に分流する。
【００５７】
仕切り板４３は、助手席側開口部４４の開口面積が、運転席側開口部４５の開口面積よりも小さくなるように構成されており、運転席側開口部４５を通過する空調風の風量は、助手席側開口部４４を通過する空調風の風量よりも多い風量を配分される。
【００５８】
吹出モードがフェイスモード（図３（ａ）、図５（ａ）の状態）の場合、運転席側開口部４５を通過する空調風の風量は、助手席側開口部４４を通過する空調風の風量よりも多い風量となるため、運転席側ダクト４２内での空調風の圧損等の影響があっても、助手席側センタ吹出口３および助手席側サイド吹出口４と運転席側センタ吹出口５および運転席側サイド吹出口６から吹き出される空調風の風量配分を適切に調整することができる。
【００５９】
吹出モードがバイレベルモード（図３（ｂ）、図５（ｂ）の状態）の場合、フェイス開口部２６は、ロータリドア３１により半開状態であるため、フェイス開口部２６を通過する空調風の風量は、フェイスモードの場合よりも少なくなる。ここで、フェイスダクト４０内の仕切り板４３の構成により、フェイスモードの場合よりも、バイレベルモードの場合のほうが、運転席側開口部４５の開口面積に対する助手席側開口部４４の開口面積の割合を大きくしている。そのため、運転席側開口部４５を通過する空調風の風量は、助手席側開口部４４を通過する空調風の風量よりも多い風量となるが、助手席側ダクト４１を通過する空調風の風量についても確保することができる。
【００６０】
これにより、バイレベルモードの場合であっても、助手席側センタ吹出口３および助手席側サイド吹出口４と運転席側センタ吹出口５および運転席側サイド吹出口６から吹き出される空調風の風量配分を適切に調整することができる。
【００６１】
以上のように、室内空調ユニット１の開口部が半開状態の吹出モードである場合であっても、フェイスダクト４０内の構成を変更する簡易な構成で各吹出口から吹き出す空調風の風量配分の調整を適切に行うことができる。
【００６２】
（その他の実施形態）
上述の実施形態では、フェイスダクト４０に設けた仕切り板４３により、室内空調ユニット１のフェイス開口部２６の開口面積の調整を図っているが、これに限定されるものではなく、例えばバイレベルモードにした場合に、ロータリドア３１におけるフェイス開口部２６の助手席側開口部４４を閉鎖する部位に空調風を吹き出す穴等を設けることで、バイレベルモード時における助手席側開口部４４の開口面積を大きくする構成としてもよい。
【００６３】
これにより、バイレベルモードにおいて、ロータリドア３１に設けられた穴等により運転席側開口部４５の開口面積に対して助手席側開口部４４の開口面積の割合を大きくすることができる。また、ロータリドア３１を変更するのみで対応することができる。
【００６４】
また、上述の実施形態では、仕切り部材３１は、ロータリドア３１の開閉方向（車両前後方向）に対して連続的に傾斜させているが、これに限定されるものではなく、フェイスモードよりもバイレベルモードの方が、運転席側開口部４５の開口面積に対する、助手席側開口部４４の開口面積の割合が大きくなるように構成してあればよい。
【００６５】
また、上述の実施形態では、フェイス開口部２６を開閉するためにロータリドア３１を用いる構成としたが、これに限定されるものではなく、例えばフィルム式ドアやスライド式ドアを用いる構成に適用してもよい。
【００６６】
また、上述の実施形態では、バイレベルモード（図３（ｂ）の状態）に適用したが、これに限定されるものではなく、例えばフットデフモード（図４（ｂ）の状態）等の開口部が半開状態になる吹出モードに適用してもよい。
【００６７】
また、上述の実施形態では、室内空調ユニット１の開口部２６が車両左右方向の中央部の助手席側（左側）に片寄って設けられている構成としたが、これに限定されるものではなく、例えば、車両左右方向の中央部の運転席側（右側）に片寄って設けられている構成でもよい。なお、車両左右方向の中央部に室内空調ユニット１の開口部２６が配置されていた場合でも、吹出口の配置の関係により、室内空調ユニット１の開口部２６と各吹出口までの左右の送風ダクトの長さが異なる場合には適用することができる。
【図面の簡単な説明】
【００６８】
【図１】上記実施形態の車両の計器盤の斜視図である。
【図２】上記実施形態の車両用空調装置の空調ユニット部の断面図である。
【図３】上記実施形態の車両用空調装置の空調ユニット部の部分断面図である
【図４】上記実施形態の車両用空調装置の空調ユニット部の部分断面図である
【図５】上記実施形態の車両用空調装置のフェイスダクトの断面図である。
【符号の説明】
【００６９】
１…室内空調ユニット、３…助手席側センタ吹出口、４…助手席側サイド吹出口、５…運転席側センタ吹出口、６…運転席側サイド吹出口、１１…空調ケース、２６…フェイス開口部、３１…ロータリドア、３３…円周壁面、４０…フェイスダクト、４１…助手席側ダクト、４２…運転席側ダクト、４３…仕切り板、４４…助手席側開口部、４５…運転席側開口部。
【図１】
2008168774.tif 000003
【図２】
2008168774.tif 000004
【図３】
2008168774.tif 000005
【図４】
2008168774.tif 000006
【図５】
2008168774.tif 000007